(57)【要約】【課題】アクセルペダルの操作に伴う減速感のドライバビリティを改善すること。【解決手段】エンジン１０と電動機１３とを有し、エンジン１０もしくは電動機１３により走行可能であり、またはエンジン１０と電動機１３とが協働して走行可能であり、少なくとも減速中に、電動機１３により回生発電可能であり、回生発電中には、回生発電量に応じて生じる回生トルクが制動力として作用するハイブリッド自動車１のハイブリッドＥＣＵ１８において、アクセル開度が０％でないときには、最大回生トルク未満の所定値以下の回生トルクで回生発電を実施するように制御するトルク制御部を有するようにする。【選択図】図１
2013014239.tif 000002
【特許請求の範囲】
【請求項１】
エンジンと電動機とを有し、前記エンジンもしくは前記電動機により走行可能であり、または前記エンジンと前記電動機とが協働して走行可能であり、少なくとも減速中に、前記電動機により回生発電可能であり、回生発電中には、回生発電量に応じて生じる回生トルクが制動力として作用するハイブリッド自動車の制御装置において、
アクセル開度が０％でないときには、最大回生トルク未満の所定値以下の回生トルクで回生発電を実施するように制御する制御手段を有する、
ことを特徴とする制御装置。
【請求項２】
請求項１記載の制御装置であって、
前記制御手段は、アクセル開度とエンジン回転速度と回生トルクとが対応付けられたマップ情報を有する、
ことを特徴とする制御装置。
【請求項３】
請求項１または２記載の制御装置を有することを特徴とするハイブリッド自動車。
【請求項４】
エンジンと電動機とを有し、前記エンジンもしくは前記電動機により走行可能であり、または前記エンジンと前記電動機とが協働して走行可能であり、少なくとも減速中に、前記電動機により回生発電可能であり、回生発電中には、回生発電量に応じて生じる回生トルクが制動力として作用するハイブリッド自動車の制御方法において、
アクセル開度が０％でないときには、最大回生トルク未満の所定値以下の回生トルクで回生発電を実施するように制御する制御ステップを有する、
ことを特徴とする制御方法。
【請求項５】
コンピュータ装置に、
エンジンと電動機とを有し、前記エンジンもしくは前記電動機により走行可能であり、または前記エンジンと前記電動機とが協働して走行可能であり、少なくとも減速中に、前記電動機により回生発電可能であり、回生発電中には、回生発電量に応じて生じる回生トルクが制動力として作用するハイブリッド自動車の制御機能を実現させるプログラムにおいて、
前記制御機能として、アクセル開度が０％でないときには、最大回生トルク未満の所定値以下の回生トルクで回生発電を実施するように制御する制御機能を実現させる、
ことを特徴とするプログラム。
【発明の詳細な説明】
【技術分野】
【０００１】
本発明は、ハイブリッド自動車の制御装置、ハイブリッド自動車およびハイブリッド自動車の制御方法、並びにプログラムに関する。
【背景技術】
【０００２】
ハイブリッド自動車は、エンジンと電動機とを有し、エンジンもしくは電動機により走行可能であり、またはエンジンと電動機とが協働して走行可能である。また、ハイブリッド自動車は、減速中などに電動機によるバッテリへの回生発電が可能である。この回生発電中には、回生発電量に応じて生じる回生トルクがハイブリッド自動車の制動力として作用する（たとえば特許文献１参照）。
【先行技術文献】
【特許文献】
【０００３】
【特許文献１】特開２００７-２２３４２１号公報
【発明の概要】
【発明が解決しようとする課題】
【０００４】
従来のハイブリッド自動車では、バッテリへの回生電力の確保が最優先的に考慮されている。このため、ハイブリッド自動車が減速を開始すると、まだ運転者がアクセルペダルを完全に解放していないにも係わらず即座に電動機の回生電力が最大になるように制御される。これにより最大の回生トルクがハイブリッド自動車の制動力として作用する。その後、運転者がアクセルペダルを完全に解放したときに、回生トルクは既に最大に制御されているため、ハイブリッド自動車の制動力に回生トルクがさらに追加されることはない。
【０００５】
一方、一般的な自動車では、アクセルペダルを踏み込んだ状態から徐々に踏み込みを浅くするにしたがって減速力も徐々に増加するので、アクセルペダルを完全に解放したときに、最大の減速感が得られる。このような一般的な自動車の運転感覚に慣れている運転者が上述したハイブリッド自動車を運転する際には、アクセルペダルの操作に伴う減速感のドライバビリティに違和感を覚えることになる。
【０００６】
本発明は、このような背景の下に行われたものであって、アクセルペダルの操作に伴う減速感のドライバビリティを改善させることができるハイブリッド自動車の制御装置、ハイブリッド自動車およびハイブリッド自動車の制御方法、並びにプログラムを提供することを目的とする。
【課題を解決するための手段】
【０００７】
本発明のひとつの観点は、ハイブリッド自動車の制御装置としての観点である。本発明のハイブリッド自動車の制御装置は、エンジンと電動機とを有し、エンジンもしくは電動機により走行可能であり、またはエンジンと電動機とが協働して走行可能であり、少なくとも減速中に、電動機により回生発電可能であり、回生発電中には、回生発電量に応じて生じる回生トルクが制動力として作用するハイブリッド自動車の制御装置において、アクセル開度が０％でないときには、最大回生トルク未満の所定値以下の回生トルクで回生発電を実施するように制御する制御手段を有するものである。
【０００８】
たとえば、制御手段は、アクセル開度とエンジン回転速度と回生トルクとが対応付けられたマップ情報を有することができる。
【０００９】
本発明の他の観点は、ハイブリッド自動車としての観点である。本発明のハイブリッド自動車は、本発明の制御装置を有するものである。
【００１０】
本発明のさらに他の観点は、ハイブリッド自動車の制御方法としての観点である。本発明のハイブリッド自動車の制御方法は、エンジンと電動機とを有し、エンジンもしくは電動機により走行可能であり、またはエンジンと電動機とが協働して走行可能であり、少なくとも減速中に、電動機により回生発電可能であり、回生発電中には、回生発電量に応じて生じる回生トルクが制動力として作用するハイブリッド自動車の制御方法において、アクセル開度が０％でないときには、最大回生トルク未満の所定値以下の回生トルクで回生発電を実施するように制御する制御ステップを有するものである。
【００１１】
本発明のさらに他の観点は、プログラムとしての観点である。本発明のプログラムは、コンピュータ装置に、エンジンと電動機とを有し、エンジンもしくは電動機により走行可能であり、またはエンジンと電動機とが協働して走行可能であり、少なくとも減速中に、電動機により回生発電可能であり、回生発電中には、回生発電量に応じて生じる回生トルクが制動力として作用するハイブリッド自動車の制御機能を実現させるプログラムにおいて、制御機能として、アクセル開度が０％でないときには、最大回生トルク未満の所定値以下の回生トルクで回生発電を実施するように制御する制御機能を実現させるものである。
【発明の効果】
【００１２】
本発明によれば、アクセルペダルの操作に伴う減速感のドライバビリティを改善させることができる。
【図面の簡単な説明】
【００１３】
【図１】本発明の実施の形態のハイブリッド自動車の構成の例を示すブロック図である。
【図２】図１のハイブリッドＥＣＵにおいて実現される機能の構成の例を示すブロック図である。
【図３】図２のトルク制御部の処理を示すフローチャートである。
【図４】図２のトルク制御マップの例を示す図である。
【図５】図４のトルク制御マップにおいてアクセル開度が５％の場合の回生トルクを説明する図である。
【図６】図４のトルク制御マップにおいてアクセル開度が０％の場合の回生トルクを説明する図である。
【図７】従来のトルク制御マップの例を示す図である。
【図８】図７のトルク制御マップにおいてアクセル開度が５％の場合の回生トルクを説明する図である。
【図９】図７のトルク制御マップにおいてアクセル開度が０％〜２５％の場合の回生トルクを説明する図である。
【発明を実施するための形態】
【００１４】
以下、本発明の実施の形態のハイブリッド自動車について、図１〜図９を参照しながら説明する。
【００１５】
（概要について）
図１は、ハイブリッド自動車１の構成の例を示すブロック図である。ハイブリッド自動車１は、車両の一例である。ハイブリッド自動車１は、半自動トランスミッションの変速機を介したエンジン（内燃機関）１０および／または電動機１３によって駆動される。ハイブリッド自動車１は、アクセル開度が０％でないときには、最大回生トルク未満の所定値以下の回生トルクで回生発電を実施し、アクセル開度が０％であるときには、最大の回生トルクで回生発電を実施する。これにより、アクセル開度が０％のときに、回生トルクによる制動力が最も大きくなるように制御される。なお、半自動トランスミッションとは、マニュアルトランスミッションと同じ構成を有しながら自動化されたクラッチ１２と協働して変速操作を自動的に行うことができるトランスミッションである。
【００１６】
（ハイブリッド自動車１の構成について）
ハイブリッド自動車１は、エンジン１０、エンジンＥＣＵ（Electronic Control Unit）１１、クラッチ１２、電動機１３、インバータ１４、バッテリ１５、トランスミッション１６、電動機ＥＣＵ１７、ハイブリッドＥＣＵ１８（請求項でいう制御装置）、車輪１９、シフト部２０、およびキースイッチ２１を有して構成される。なお、トランスミッション１６は、上述した半自動トランスミッションを有し、ドライブレンジ（以下では、Ｄ(Drive)レンジと記す）を有するシフト部２０により操作される。シフト部２０がＤレンジにあるときには、半自動トランスミッションの変速操作が自動化される。
【００１７】
エンジン１０は、内燃機関の一例であり、エンジンＥＣＵ１１によって制御され、ガソリン、軽油、ＣＮＧ(Compressed Natural Gas)、ＬＰＧ(Liquefied
Petroleum Gas)、または代替燃料等を内部で燃焼させて、軸を回転させる動力を発生させ、発生した動力を、電動機１３を介してクラッチ１２に伝達する。
【００１８】
エンジンＥＣＵ１１は、ハイブリッドＥＣＵ１８からの指示に従うことにより、電動機ＥＣＵ１７と連携動作するコンピュータであり、燃料噴射量やバルブタイミングなど、エンジン１０を制御する。たとえば、エンジンＥＣＵ１１は、ＣＰＵ（Central Processing Unit）、ＡＳＩＣ（Application Specific Integrated Circuit）、マイクロプロセッサ（マイクロコンピュータ）、ＤＳＰ（Digital Signal Processor）などにより構成され、内部に、演算部、メモリ、およびＩ／Ｏ（Input/Output）ポートなどを有する。
【００１９】
クラッチ１２は、ハイブリッドＥＣＵ１８からの変速指示信号に基づき電動機１３の回転軸とトランスミッション１６の入力軸とを接状態または断状態にするものである。なお、クラッチ１２の機構自体は、運転者がクラッチペダルを操作して電動機１３の回転軸とトランスミッション１６の入力軸とを接状態または断状態に操作するものと同じものである。また、ハイブリッドＥＣＵ１８による制御の他に、運転者が不図示のクラッチペダルを操作することにより、電動機１３の回転軸とトランスミッション１６の入力軸とを接状態または断状態に操作できるようにしてもよい。
【００２０】
電動機１３は、いわゆる、モータジェネレータであり、インバータ１４から供給された電力により、軸を回転させる動力を発生させて、その軸出力をクラッチ１２を介してトランスミッション１６に供給するか、またはトランスミッション１６からクラッチ１２を介して供給された軸を回転させる動力によって発電し、その電力をインバータ１４に供給する。たとえば、ハイブリッド自動車１が加速しているとき、または定速で走行しているときにおいて、電動機１３は、軸を回転させる動力を発生させて、その軸出力を、クラッチ１２を介してトランスミッション１６に供給し、エンジン１０と協働してハイブリッド自動車１を走行させる。また、たとえば、電動機１３がエンジン１０によって駆動されているとき、またはハイブリッド自動車１が減速しているとき、もしくは下り坂を走行しているときなどにおいて、電動機１３は、発電機として動作し、この場合、トランスミッション１６からクラッチ１２を介して供給された軸を回転させる動力によって発電して、電力をインバータ１４に供給し、バッテリ１５が充電される。このとき、電動機１３は、回生電力に応じた大きさの回生トルクを発生する。
【００２１】
インバータ１４は、電動機ＥＣＵ１７によって制御され、バッテリ１５からの直流電圧を交流電圧に変換するか、または電動機１３からの交流電圧を直流電圧に変換する。電動機１３が動力を発生させる場合、インバータ１４は、バッテリ１５の直流電圧を交流電圧に変換して、電動機１３に電力を供給する。電動機１３が発電する場合、インバータ１４は、電動機１３からの交流電圧を直流電圧に変換する。すなわち、この場合、インバータ１４は、バッテリ１５に直流電圧を供給するための整流器および電圧調整装置としての役割を果たす。
【００２２】
バッテリ１５は、充放電可能な二次電池であり、電動機１３が動力を発生させるとき、電動機１３にインバータ１４を介して電力を供給するか、または電動機１３が発電しているとき、電動機１３が発電する電力によって充電される。バッテリ１５には、適切なＳＯＣの範囲が決められており、ＳＯＣがその範囲を外れないように管理されている。
【００２３】
トランスミッション１６は、ハイブリッドＥＣＵ１８からの変速指示信号に従って、複数のギア比（変速比）のいずれかを選択する半自動トランスミッション（図示せず）を有し、変速比を切り換えて、変速されたエンジン１０の動力および／または電動機１３の動力を車輪１９に伝達する。また、減速しているとき、もしくは下り坂を走行しているときなど、トランスミッション１６は、車輪１９からの動力をクラッチ１２を介して電動機１３に伝達する。また、トランスミッション１６が変速する際には、クラッチ１２がいったん断状態に制御される。このように、ハイブリッドＥＣＵ１８は、トランスミッション１６とクラッチ１２とを協働させてハイブリッド自動車１の自動変速を実施する。なお、半自動トランスミッションは、運転者がシフト部２０を操作して手動で任意のギア段にギア位置を変更することもできる。
【００２４】
電動機ＥＣＵ１７は、ハイブリッドＥＣＵ１８からの指示に従うことにより、エンジンＥＣＵ１１と連携動作するコンピュータであり、インバータ１４を制御することによって電動機１３を制御する。たとえば、電動機ＥＣＵ１７は、ＣＰＵ、ＡＳＩＣ、マイクロプロセッサ（マイクロコンピュータ）、ＤＳＰなどにより構成され、内部に、演算部、メモリ、およびＩ／Ｏポートなどを有する。
【００２５】
ハイブリッドＥＣＵ１８は、コンピュータの一例であり、ハイブリッド走行のために、アクセル開度情報、ブレーキ操作情報、車速情報、ギア位置情報、エンジン回転速度情報、およびＳＯＣ情報を取得する。取得したこれらの情報に基づいて、ハイブリッドＥＣＵ１８は、変速指示信号を供給することでクラッチ１２およびトランスミッション１６を制御し、電動機ＥＣＵ１７に対して電動機１３およびインバータ１４の制御指示を与え、エンジンＥＣＵ１１に対してエンジン１０の制御指示を与える。たとえば、ハイブリッドＥＣＵ１８は、ＣＰＵ、ＡＳＩＣ、マイクロプロセッサ（マイクロコンピュータ）、ＤＳＰなどにより構成され、内部に、演算部、メモリ、およびＩ／Ｏポートなどを有する。
【００２６】
なお、エンジンＥＣＵ１１、電動機ＥＣＵ１７、およびハイブリッドＥＣＵ１８によって実行されるプログラムは、エンジンＥＣＵ１１、電動機ＥＣＵ１７、およびハイブリッドＥＣＵ１８の内部の不揮発性のメモリにあらかじめ記憶しておくことで、コンピュータであるエンジンＥＣＵ１１、電動機ＥＣＵ１７、およびハイブリッドＥＣＵ１８にあらかじめインストールしておくことができる。
【００２７】
エンジンＥＣＵ１１、電動機ＥＣＵ１７、およびハイブリッドＥＣＵ１８は、ＣＡＮ（Control Area Network）などの規格に準拠したバスなどにより相互に接続されている。
【００２８】
車輪１９は、路面に駆動力を伝達する駆動輪である。なお、図１には、１つの車輪１９のみが図示されているが、実際には、ハイブリッド自動車１は、複数の車輪１９を有する。
【００２９】
シフト部２０は、既に説明したように、トランスミッション１６の半自動トランスミッションに運転者からの指示を与えるものであり、シフト部２０がＤレンジにあるときには、半自動トランスミッションの変速操作が自動化される。
【００３０】
キースイッチ２１は、運転を開始するときにユーザにより、たとえばキーが差し込まれてＯＮ／ＯＦＦされるスイッチであり、これがＯＮ状態になることによってハイブリッド自動車１の各部は起動し、キースイッチ２１がＯＦＦ状態になることによってハイブリッド自動車１の各部は停止する。
【００３１】
図２は、プログラムを実行するハイブリッドＥＣＵ１８において実現される機能の構成の例を示すブロック図である。すなわち、ハイブリッドＥＣＵ１８がプログラムを実行すると、ハイブリッドＥＣＵ１８に、トルク制御部３０（請求項でいう制御手段）の機能が実現される。
【００３２】
トルク制御部３０は、トルク制御マップ３１（請求項でいうマップ情報）を有し、エンジン回転速度情報、アクセル開度情報、および車速情報に基づいてエンジンＥＣＵ１１にエンジン制御指示を行い、電動機ＥＣＵ１７に電動機制御指示を行う機能である。
【００３３】
トルク制御マップ３１は、ハイブリッドＥＣＵ１８が有するメモリの一部の領域に予め記憶されている。トルク制御マップ３１は、電動機１３が回生発電する際の回生トルクを、トルク制御部３０が決定する際にメモリから読み出されて使用される情報である。トルク制御マップ３１は、ハイブリッド自動車１のメーカ側で、テスト走行またはシミュレーションなどによって作成されたものである。なお、トルク制御マップ３１については詳しく後述する。
【００３４】
（ハイブリッドＥＣＵ１８の動作について）
次に、図３のフローチャートを参照して、プログラムを実行するハイブリッドＥＣＵ１８において行われるエンジン制御および電動機制御の処理を説明する。なお、この例の場合、図３のステップＳ１〜Ｓ３の手続きによる処理は１周期分の処理であり、キースイッチ２１がＯＮ状態である限り処理は繰り返し実行されるものとする。
【００３５】
図３の「ＳＴＡＲＴ」では、キースイッチ２１がＯＮ状態であり、ハイブリッドＥＣＵ１８がプログラムを実行し、ハイブリッドＥＣＵ１８にトルク制御部３０の機能が実現されている状態である。また、トルク制御部３０は、車速情報からハイブリッド自動車１が減速中であることを検出している。このような状態であるときに、手続きはステップＳ１に進む。
【００３６】
ステップＳ１において、トルク制御部３０は、アクセル開度情報に基づいてアクセル開度が０％か否かを判定する。ステップＳ１において、アクセル開度が０％であると判定されると、手続きはステップＳ２に進む。一方、ステップＳ１において、アクセル開度が０％でないと判定されると、手続きはステップＳ３に進む。
【００３７】
ステップＳ２において、トルク制御部３０は、回生最大トルクまで回生発電を実施して１周期分の処理を終了する（ＥＮＤ）。
【００３８】
ステップＳ３において、トルク制御部３０は、所定の回生トルクまで回生発電を実施して１周期分の処理を終了する（ＥＮＤ）。
【００３９】
図４に、トルク制御マップ３１の例を示す。トルク制御マップ３１は、一般的に、ガバナマップと呼ばれるアクセル開度に応じてエンジン１０の回転速度を制御するためのマップを応用したものである。トルク制御マップ３１の横軸に、エンジン回転速度を示し、縦軸は、トルクを示している。図４の例では、アクセル開度が０％，５％，１０％、１５％・・・（図面の左側から右側に向かうに従って、開度が大きくなっている）のときのエンジン回転速度とトルクとの関係を示す曲線と共に、エンジン回転速度における最大回生トルクを示す曲線が示されている（アクセル開度０％＝最大回生トルク）。なお、アクセル開度を示す曲線は、トルク制御マップ３１の縦軸の上半分は、正側のアシストトルクであり、下半分は、負側の回生トルクである。正側のアシストトルクは、ハイブリッド自動車１を加速させるトルクであり、負側の回生トルクは、ハイブリッド自動車１を減速させるトルクである。
【００４０】
トルク制御マップ３１は、所定のアクセル開度に対して予め決められたエンジン１０の回転速度になるように、アクセル開度に応じて自動的に、エンジン１０のトルクを調節するものである。たとえば所定のアクセル開度に対してエンジン回転速度が低下し過ぎた場合、トルク制御部３０は、正側のアシストトルクを発生させるように、電動機ＥＣＵ１７に対して電動機制御指示を行う。その結果、エンジン１０の回転速度が上がり所定のエンジン回転速度となる。一方、所定のアクセル開度に対してエンジン回転速度が上昇し過ぎた場合、トルク制御部３０は、負側の回生トルクを発生させるように、電動機ＥＣＵ１７に対して電動機制御指示を行う。その結果、エンジン１０の回転速度が下がり所定のエンジン回転速度となる。すなわちトルク制御部３０は、このようにしてトルクが０（Ｎｍ：ニュートンメートル）（加速も減速もしない状態）に収束するように制御する。
【００４１】
以下では、ハイブリッド自動車１が減速中におけるトルク制御部３０の負側の回生トルクの制御について説明し、正側のアシストトルクの制御についての説明は省略する。
【００４２】
図４の例では、運転者が、それまで深く踏み込んでいたアクセルペダルを徐々に浅く踏み込むように操作することにより、ハイブリッド自動車１が減速を開始し、エンジン回転速度が減速時回生開始点Ｓまで達すると、電動機１３は回生発電を開始する。減速時回生開始点Ｓから発生を始めた回生発電の回生トルクは徐々に大きくなり、これによりエンジン１０のエンジン回転速度が低下する。やがてエンジン１０のエンジン回転速度がさらに低下すると、回生発電量の減少に伴って回生トルクも減少し、減速時回生終了点Ｅで回生発電は終了する。
【００４３】
図５は、図４のトルク制御マップ３１において、アクセル開度が５％の場合の例を示している。トルク制御マップ３１では、アクセル開度が５％以上の範囲では、回生トルクがα（Ｎｍ）を最大値として制御される。
【００４４】
図６は、図４のトルク制御マップ３１において、アクセル開度が０％の場合の例を示している。トルク制御マップ３１では、アクセル開度が０％になると、回生トルクが最大回生トルクであるβ（Ｎｍ）を最大値として制御される。なお、β（Ｎｍ）は、α（Ｎｍ）よりも大きな回生トルクである。
【００４５】
（効果について）
トルク制御部３０の制御によれば、アクセル開度が０％でないときには、最大回生トルク未満の所定値以下の回生トルクで回生発電を実施するように制御するので、アクセル開度が０％でないときと、アクセル開度が０％のときとで、回生トルクの大きさに差を持たせるように制御が行われる。これにより、運転者がアクセルペダルを完全に解放したときに最大の回生トルクが得られるようになり、アクセルペダルの操作に伴う減速感のドライバビリティを改善させることができる。
【００４６】
比較例として、従来のトルク制御マップ１００を図７に示す。図８は、図７のトルク制御マップ１００において、アクセル開度が５％の場合の例を示している。また、図９は、図７のトルク制御マップ１００において、アクセル開度が０％〜２５％の場合の例を示している。
【００４７】
図８および図９に示すように、トルク制御マップ１００では、アクセル開度が０％であっても５％以上であっても最大回生トルクを最大値として制御が行われる。これによれば、図９に示すように、たとえばアクセル開度が２５％であってエンジン回転速度がＲ１（ｒｐｍ：ラウンドパーミニッツ）である時点から、アクセル開度が０％であってエンジン回転速度がＲ２（ｒｐｍ）である時点まで、ほぼ同じ回生トルクβ（Ｎｍ）になる。
【００４８】
たとえば運転者が、エンジン回転速度がＲ１（ｒｐｍ）のときに、アクセル開度が２５％となるようにアクセルペダルを踏み込んだ状態から一気にアクセルペダルを解放し、これによりアクセル開度が０％になったとしても回生トルクは既に上限値に達しているので、減速感に変化はなく、ドライバビリティに違和感を覚えることになる。
【００４９】
一方、図４に示すトルク制御マップ３１によれば、アクセル開度が５％以上のときと、アクセル開度が０％のときとでは、明らかに回生トルクに差が生じる。これにより、運転者がアクセルペダルを踏み込んだ状態から一気にアクセルペダルを解放すれば、回生トルクも一気に増加するため、運転者は、アクセルペダルの操作に見合った良好なドライバビリティの減速感を得ることができる。
【００５０】
（その他の実施の形態）
エンジン１０は、内燃機関であると説明したが、外燃機関を含む熱機関であってもよい。
【００５１】
また、ハイブリッドＥＣＵ１８によって実行されるプログラムは、ハイブリッドＥＣＵ１８にあらかじめインストールされると説明したが、プログラムが記録されている（プログラムを記憶している）リムーバブルメディアを図示せぬドライブなどに装着し、リムーバブルメディアから読み出したプログラムをハイブリッドＥＣＵ１８の内部の不揮発性のメモリに記憶することにより、または、有線または無線の伝送媒体を介して送信されてきたプログラムを、図示せぬ通信部で受信し、ハイブリッドＥＣＵ１８の内部の不揮発性のメモリに記憶することで、コンピュータであるハイブリッドＥＣＵ１８にインストールすることができる。
【００５２】
また、各ＥＣＵは、これらを１つにまとめたＥＣＵにより実現してもよいし、あるいは、各ＥＣＵの機能をさらに細分化したＥＣＵを新たに設けてもよい。
【００５３】
なお、コンピュータが実行するプログラムは、本明細書で説明する順序に沿って時系列に処理が行われるプログラムであってもよいし、並列に、あるいは呼び出しが行われたとき等の必要なタイミングで処理が行われるプログラムであってもよい。
【００５４】
また、本発明の実施の形態は、上述した実施の形態に限定されるものではなく、本発明の要旨を逸脱しない範囲において種々の変更が可能である。
【符号の説明】
【００５５】
１…ハイブリッド自動車、１０…エンジン、１１…エンジンＥＣＵ、１２…クラッチ、１３…電動機、１４…インバータ、１５…バッテリ、１６…トランスミッション、１７…電動機ＥＣＵ、１８…ハイブリッドＥＣＵ（制御装置）、３０…トルク制御部（制御手段）、３１…トルク制御マップ（マップ情報）
【図１】
2013014239.tif 000003
【図２】
2013014239.tif 000004
【図３】
2013014239.tif 000005
【図４】
2013014239.tif 000006
【図５】
2013014239.tif 000007
【図６】
2013014239.tif 000008
【図７】
2013014239.tif 000009
【図８】
2013014239.tif 000010
【図９】
2013014239.tif 000011